(57)【要約】【課題】コンバインのグレンタンク内部の視認性およびメンテナンス性を高める。【解決手段】操縦席（２０）の後側にグレンタンク（１３）を配置し、グレンタンク（１３）の上面に、前下がりに傾斜する第１傾斜面（１３ｆ）を形成し、グレンタンク（１３）の上部前面には、第１傾斜面（１３ｆ）よりも前下がりに急傾斜する第２傾斜面（１３ｇ）を第１傾斜面（１３ｆ）の前部から連続して形成し、第１傾斜面（１３ｆ）から第２傾斜面（１３ｇ）に亘って連続する点検窓（１４）を形成し、点検窓（１４）には、グレンタンク（１３）の内部を透視可能な点検窓蓋（１４ａ）を備える。また、点検窓蓋（１４ａ）を開閉可能な構成とする。また、点検窓蓋（１４ａ）の一部或いは全体を、グレンタンク（１３）の外側へ向けて膨出させる。【選択図】図１
2014087294.tif 000002
【特許請求の範囲】
【請求項１】
操縦席（２０）の後側にグレンタンク（１３）を配置し、該グレンタンク（１３）の上面に、前下がりに傾斜する第１傾斜面（１３ｆ）を形成し、グレンタンク（１３）の上部前面には、前記第１傾斜面（１３ｆ）よりも前下がりに急傾斜する第２傾斜面（１３ｇ）を該第１傾斜面（１３ｆ）の前部から連続して形成し、前記第１傾斜面（１３ｆ）から第２傾斜面（１３ｇ）に亘って連続する点検窓（１４）を形成し、該点検窓（１４）には、グレンタンク（１３）の内部を透視可能な点検窓蓋（１４ａ）を備えたコンバイン。
【請求項２】
前記点検窓蓋（１４ａ）を開閉可能な構成とした請求項１に記載のコンバイン。
【請求項３】
前記点検窓蓋（１４ａ）の一部或いは全体を、グレンタンク（１３）の外側へ向けて膨出させた請求項１または請求項２に記載のコンバイン。
【請求項４】
前記点検窓（１４）の後端部を、脱穀装置（１０）から穀粒をグレンタンク（１３）内へ供給する揚穀筒（２７）の排出口よりも後方に配置した請求項１から請求項３のいずれか１項に記載のコンバイン。
【発明の詳細な説明】
【技術分野】
【０００１】
本発明は、脱穀された穀粒を一時的に貯留するグレンタンクを備えたコンバインに関する。
【背景技術】
【０００２】
コンバインは植立穀稈を刈り取る刈取装置と該刈取装置で刈り取った穀稈を脱穀する脱穀装置と該脱穀装置で脱穀した穀粒を一時的に貯留するグレンタンクを備えている。
例えば、特許文献１には、グレンタンクを合成樹脂製にして、グレンタンク上面の操縦席側に点検窓を設けて、操縦席に座ったオペレータが穀粒の貯留状態を確認出来るようにしている。
【先行技術文献】
【特許文献】
【０００３】
【特許文献１】特開２００９−２６１２６３号公報
【発明の概要】
【発明が解決しようとする課題】
【０００４】
前記従来のグレンタンクでは、点検窓が小さいために内部の視認性が低く、特にこの点検窓が操縦部側の前下がり急傾斜面に形成されているために、コンバインの進行方向によっては点検窓からグレンタンク内へ日光が入らず、穀粒の貯留状態が充分に確認出来ない場合が有った。
【０００５】
そこで、本発明では、グレンタンクの内部の視認性を高め、穀粒の貯留状態を容易に確認できるコンバインを提供することである。
【課題を解決するための手段】
【０００６】
上記本発明の課題は、次の技術的手段により解決される。
請求項１に記載の発明は、操縦席（２０）の後側にグレンタンク（１３）を配置し、該グレンタンク（１３）の上面に、前下がりに傾斜する第１傾斜面（１３ｆ）を形成し、グレンタンク（１３）の上部前面には、前記第１傾斜面（１３ｆ）よりも前下がりに急傾斜する第２傾斜面（１３ｇ）を該第１傾斜面（１３ｆ）の前部から連続して形成し、前記第１傾斜面（１３ｆ）から第２傾斜面（１３ｇ）に亘って連続する点検窓（１４）を形成し、該点検窓（１４）には、グレンタンク（１３）の内部を透視可能な点検窓蓋（１４ａ）を備えたコンバインとする。
【０００７】
請求項２に記載の発明は、前記点検窓蓋（１４ａ）を開閉可能な構成とした請求項１に記載のコンバインとする。
請求項３に記載の発明は、前記点検窓蓋（１４ａ）の一部或いは全体を、グレンタンク（１３）の外側へ向けて膨出させた請求項１または請求項２に記載のコンバインとする。
【０００８】
請求項４に記載の発明は、前記点検窓（１４）の後端部を、脱穀装置（１０）から穀粒をグレンタンク（１３）内へ供給する揚穀筒（２７）の排出口よりも後方に配置した請求項１から請求項３のいずれか１項に記載のコンバインとする。
【発明の効果】
【０００９】
請求項１に記載の発明によれば、グレンタンク（１３）の上面に形成された第１傾斜面（１３ｆ）とこの第１傾斜面（１３ｆ）の前部から連続して急傾斜した第２傾斜面（１３ｇ）に亘る点検窓（１４）から外部の光が射し込むので、操縦席（２０）に座ったオペレータは、後へ振り返って点検窓蓋（１４ａ）越しにグレンタンク（１３）の内部を視認し、穀粒の溜まり具合を点検できる。つまり、点検窓（１４）が採光と透視窓を兼ねることになり、採光窓と透視窓を別々に設ける構成よりも、点検窓（１４）の面積を拡大することができ、構成が簡単になって製作コストを低減することができる。
【００１０】
請求項２に記載の発明によれば、請求項１の記載の発明による効果に加えて、点検窓蓋（１４ａ）を開閉可能とすることで、点検窓蓋（１４ａ）の内面が粉塵で汚れたり、グレンタンク（１３）の内部に詰まりを生じても、点検窓蓋（１４ａ）を開いてメンテナンスを容易に行うことができ、作業能率を向上させることができる。
【００１１】
請求項３に記載の発明によれば、請求項１または請求項２記載の発明による効果に加えて、点検窓蓋（１４ａ）の一部或いは全体を、グレンタンク（１３）の外側へ向けて膨出させているので、点検窓蓋（１４ａ）の内面に粉塵が付着し難く、グレンタンク（１３）内の視認性低下を防止することができる。
【００１２】
請求項４に記載の発明によれば、請求項１から請求項３のいずれか１項に記載の発明による効果に加えて、脱穀装置から揚穀筒（２７）を通してグレンタンク（１３）内へ放出される穀粒の状態がよく観察できて、穀粒の詰まりや、脱穀装置の選別状態の異常などを早期に発見して対応することができ、収穫作業の能率を向上させることができる。
【図面の簡単な説明】
【００１３】
【図１】本発明の一実施例のコンバインの右側面図である。
【図２】コンバインの左側面図である。
【図３】コンバインの平面図である。
【図４】コンバインの正面図である。
【図５】グレンタンクの（ａ）右側断面図、（ｂ）背面図、（ｃ）平面図、（ｄ）正面図である。
【図６】コンバインのグレンタンクを右側方へ開放した状態を示す平面図である。
【発明を実施するための形態】
【００１４】
以下、本発明の実施形態を図面に示す実施例を参照しながら説明する。
なお、本明細書では、左側及び右側とはコンバインが前進する方向に向いたときの方向を言う。
【００１５】
図１から図４に示すように、コンバインの車体フレーム２の下部側に土壌面を走行する左右一対の走行装置（以下、走行クローラと称す。）３を配設し、該走行クローラ３にはエンジン動力が駆動スプロケット４を介して伝達される。車体２の前端側に分草杆８を備えた刈取装置９が設けられている。刈取装置９は車体２の上方の支点を中心にして上下動する刈取装置支持フレーム７で支持されているので、コンバインに搭乗したオペレータが運転台１９の操縦席２０にあるパワステレバー（操向レバー）３０を前後に傾倒操作することにより、刈取装置支持フレーム７と共に上下に昇降する構成である。
【００１６】
車体フレーム２の上方には、刈取装置９から搬送されてくる穀稈を搬送して脱穀、選別する脱穀装置１０と該脱穀装置１０で脱穀選別された穀粒を揚穀筒２７経由で一時的に貯溜するグレンタンク１３が載置され、グレンタンク１３の後部に縦オーガ１６と横オーガ１７からなるオーガを連接して、グレンタンク１３内の穀粒をグレンタンク下部の螺旋羽根３６（図６）により搬送して、横オーガ１７の穀粒排出口１７ｃからコンバインの外部に排出する構成としている。
【００１７】
すなわち、コンバインはオペレータが操縦席２０においてＨＳＴ主変速レバー２２および副変速レバー２３を操作し、図示しないエンジンの動力を走行伝動ケ−ス内の主変速機を介して変速し、左右の走行クローラ３、３に伝動して任意の速度で走行する。
【００１８】
また、運転台１９の右側面はオペレータの乗降用の空間が設けられている。そして前記運転台１９の右側前方には、操向レバー３０が設けられ、該操向レバー３０は、左右に傾倒すればコンバインを左右に旋回させ、前後に傾倒すれば刈取装置９を下降、上昇できる。すなわち、コンバインを旋回させようとする方向に操向レバー３０を傾倒操作することにより、左右の走行クローラ３、３に速度差が与えられて走行方向の変更が行われる構成としている。
【００１９】
そして運転台１９の左側には、走行クローラ３を無段階で前進、停止、後退制御できるＨＳＴレバー（主変速レバー）２２、走行クローラ３の速度を低速（作業速）、中速（作業速と走行速）、高速（走行速）の３段階に切り替える副変速レバー２３、刈取装置９および脱穀装置１０の運転停止を操作する刈取レバー４７、脱穀レバー４８等が設けられている。
【００２０】
上記構成のコンバインにおけるグレンタンク１３の右側面図を図５（ａ）に示し、背面図を図５（ｂ）に示し、平面図を図５（ｃ）に示し、正面図を図５（ｄ）に示す。  
本実施例のグレンタンク１３は、その左側壁部に機体中心方向に膨出した突出部（貯留部）１３ａを設けている。該突出部１３ａは揚穀筒２７の後方部位に設けられ、揚穀筒２７より機体中心方向に膨出した構成となっている。また、グレンタンク１３の後方壁面部にも膨出した後突出部１３ｂを設けている。前記突出部１３ａは正面視で揚穀筒２７の機体内側端部よりも脱穀装置１０に接近した位置まで至るように、グレンタンク１３の側壁面から外側（脱穀装置１０寄りの側）に膨出した形状をしているため、グレンタンク１３の容量が突出部１３ａ，１３ｂの無い場合に比べて大きくなり、また穀粒がグレンタンク１３の満量時に機体左右方向のバランスが悪化することが無い。
【００２１】
また、図６の平面図に示すようにグレンタンク１３は側方に回動（オープン）可能な構成であり、オープン時にグレンタンク１３の側方への突出部１３ａは揚穀筒２７との干渉がないように後傾角度θを設けている。そのため、グレンタンク１３の突出部１３ａを揚穀筒２７よりも脱穀装置１０に接近する位置まで機体内方に突出させても、グレンタンク１３の回動に支障がなく、グレンタンク容量の拡大ができる。
【００２２】
グレンタンク１３の支持フレーム３１（図６）が走行フレーム２に対して縦方向（垂直方向）に向いて立設されており、該支持フレーム３１とグレンタンク１３の間にグレンタンク１３の横方向（水平方向）の回動支持軸３２（図５）を有するグレンタンク回動用連結部材３３を設ける。該グレンタンク回動用連結部材３３はグレンタンク１３の突出部１３ｂの後側壁面に取り付けられており、回動支持軸３２は縦オーガ１６の軸心の外方で、かつ、縦オーガ１６の回動中心軸心１６ａ（図６）よりも後方に位置するようにグレンタンク回動用連結部材３３に取り付けている。そのため、グレンタンク１３のオープン時に縦オーガ１６の近傍までグレンタンク１３を開放できるので、メンテナンス性が従来のものより向上する。
【００２３】
また、グレンタンク１３は軽量なブロー成形された合成樹脂製品であるので、タンク１３のオープン時のタンク１３のオーバーハング量が多くなっても支障がない。また、グレンタンク１３を、回動支持軸３２の部分で支持フレーム３１から分離して取り外すこともできる。
【００２４】
さらに、グレンタンク１３のオープン時にはグレンタンク１３の基部にある桶部１３ｄ（図６）と該桶部１３ｄ以外の合成樹脂製のタンク部に分割され、タンク部を車体フレーム２の外側に回動可能としており、タンク１３のオープン時は桶部１３ｄとタンク部１３ｅの間にできる前後方向の広い空間Ａの全域に立ち入りでき、メンテナンス性や清掃の容易性が従来の構成より向上する。
【００２５】
また、グレンタンク１３の基部を除いてオープン可能な部分は合成樹脂成形品としたので、突出部１３ａ，１３ｂの成形が容易となり、また軽量化が図れる。さらに、桶部１３ｄにはグレンタンク１３内の穀粒をオーガ１６，１７に搬送する螺旋羽根３６が設けられ  ており、該螺旋羽根３６とその駆動機構とタンク部１３ｅを支持するために鋼鉄でできている。
【００２６】
図５に示すようにグレンタンク１３の天井壁面の前後方向であって、中間部より側面貯留部１３ａ側とグレンタンク１３の後方壁面の後方貯留部１３ｂ側に、ブロー成形により形成されるグレンタンク１３のパーティングラインＰを設けた。
【００２７】
上記したような位置にパーティングラインＰを設けたことで、グレンタンク１３が異形状であっても、極力肉厚を均一に保てるようになり、また成形性も優れている。また強度的にも不安がない。
【００２８】
また、グレンタンク１３の天井壁面は、中央部を前に向かって緩い傾斜とした中央傾斜面（第１傾斜面）１３ｆとしてこの中央傾斜面１３ｆに繋がる前側の前傾斜面（第２傾斜面）１３ｇを、前に向かって中央傾斜面１３ｆよりも急傾斜面として前方膨出部１３ｈを形成し、中央傾斜面１３ｆの後部は後突出部１３ｂに向かって急な後傾斜面１３ｉとしている。そして、パーティングラインＰを跨いで中央傾斜面１３ｆと前傾斜面１３ｇに亘って点検窓１４を形成し、この点検窓１４を開閉する透明な点検窓蓋１４ａをヒンジ１５で取り付けている。なお、点検窓蓋１４ａは、一部或いは全体を外に向かって膨らませた膨出形状とすることでグレンタンク１３の内部に光を多く取り込み内部を透視し易くすると良い。
【００２９】
また、点検窓１４の位置は揚穀筒２７上端の穀粒排出口の上で、揚穀筒２７からグレンタンク１３内に供給される籾の供給の様子が観察し易くなり、さらにグレンタンク１３の内部への籾の溜まり具合を満量位置となるまで長い時間確認できるとともに、操作席２０より確認でき、籾量確認のみでなく選別状態も確認容易となる。
【００３０】
なお、点検窓１４の近くに、グレンタンク１３の内部を照射するライトを設けて、夜間や夕方の収穫作業時にライトを点灯するようにすると、グレンタンク１３の内部が見易くなる。
【００３１】
グレンタンク１３の右側面には機体の前後及び右側方から見易いように最も側方へ張り出す位置にウインカー取付部２４を形成し、このウインカー取付部２４に向けてグレンタンク回動用連結部材３３の取付部から斜め傾斜状にハーネスを埋め込むハーネス溝２５を内側に凹ませて形成する。
【００３２】
ハーネス溝２５はウインカーへのハーネスを嵌め込む幅で、一定間隔でハーネス止めの突起を溝内に形成したり、ハーネスよりも狭く押し込んで留める溝に形成したり、ハーネス溝２５を覆う溝キャップを取り付けたりする。
【００３３】
なお、ハーネス溝２５の内部凸状部は穀粒が溜まらないように充分な傾斜を持たせる。
【符号の説明】
【００３４】
１０  脱穀装置
１３  グレンタンク
１３ｆ  中央傾斜面（第１傾斜面）
１３ｇ  前傾斜面（第２傾斜面）
１４  点検窓
１４ａ  点検窓蓋
２０  操縦席
２７  揚穀筒
【図１】
2014087294.tif 000003
【図２】
2014087294.tif 000004
【図３】
2014087294.tif 000005
【図４】
2014087294.tif 000006
【図５】
2014087294.tif 000007
【図６】
2014087294.tif 000008